(57)【要約】【課題】リソースの使用状況、呼処理部の負荷状況によって適応的にリソース再配置動作のＯＮ／ＯＦＦ制御を行い、Ｗ−ＣＤＭＡ基地局の最適なリソース配置を実現する。【解決手段】呼処理部１は呼処理を行う。リソース管理部２はリソースの管理を行う。計算部３はリソース使用率１２を算出する。閾値判定部４は閾値判定を行う。再配置動作ＯＮ／ＯＦＦ制御部５は再配置動作のＯＮ／ＯＦＦ制御を行う。リソース割当部６はリソースの割り当てを行う。【選択図】      図１
2004343593.tif 000002
【特許請求の範囲】
【請求項１】
基地局リソース管理方式において、呼処理を行う呼処理部と、リソースの管理を行うリソース管理部と、リソース使用率を算出する計算部と、閾値判定を行う閾値判定部と、リソース再配置動作のＯＮ／ＯＦＦ制御を行う再配置動作ＯＮ／ＯＦＦ制御部と、前記リソースの割り当てが行われるリソース割当部とを備え、
リソースの再配置を行う際に前記リソース使用率と前記呼処理部の負荷を検知し、それぞれに設けた閾値によりリソース再配置動作のＯＮ／ＯＦＦ制御を行い、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）基地局の最適なリソース配置が行えることを特徴とする基地局リソース管理方式。
【請求項２】
基地局リソース管理方式において、呼処理を行う呼処理部と、リソースの管理を行うリソース管理部と、リソース使用率を算出する計算部と、閾値判定を行う閾値判定部と、リソース再配置動作のＯＮ／ＯＦＦ制御を行う再配置動作ＯＮ／ＯＦＦ制御部と、前記リソースの割り当てが行われるリソース割当部とを備え、
前記呼処理部は負荷状況を前記閾値判定部へ報告し、前記再配置動作ＯＮ／ＯＦＦ制御部からのＯＮ／ＯＦＦ制御信号に従いリソース再配置動作の起動並びに中止を行い、起動中に再配置条件を満たした場合、前記リソース管理部に対してリソース再配置要求を行う再配置処理信号を出力し、
前記リソース管理部はリソース使用数及び最大リソース数を前記計算部へ報告し、リソース再配置要求の前記再配置処理信号を受け、前記リソース割当部に対して再配置処理実行信号を出力し再配置処理を行い、
前記計算部は報告された前記リソース使用数及び最大リソース数値から前記リソース使用率を算出し、閾値判定部へ報告し、
前記閾値判定部は前記リソース使用率の報告値及び前記負荷状況と予め設定されている閾値とを比較判定し、その判定結果を前記再配置動作ＯＮ／ＯＦＦ制御部へ報告し、
前記再配置動作ＯＮ／ＯＦＦ制御部は、報告された判定結果に従い再配置動作のＯＮ／ＯＦＦ制御信号を前記呼処理部へと送り、前記リソース使用率が閾値以上でありかつ前記呼処理部の前記負荷状況が閾値以下である再配置条件を満たす場合、リソース再配置動作をＯＮとし、前記再配置条件を満たさない場合にＯＦＦとすることを特徴とする基地局リソース管理方式。
【請求項３】
前記呼処理部が、前記再配置動作ＯＮ／ＯＦＦ制御部からの前記ＯＮ／ＯＦＦ制御信号によりＯＮ状態からＯＦＦ状態へと状態遷移した場合は、一定時間ＯＦＦ状態を保持することを特徴とする請求項２記載の基地局リソース管理方式。
【請求項４】
前記リソース使用率が閾値以上でありかつ前記呼処理部の前記負荷状況が閾値以下である再配置条件を満たす場合にリソース再配置動作をＯＮとし、前記再配置条件を満たさない場合に一定時間ＯＦＦの状態を保持することを特徴とする請求項２記載の基地局リソース管理方式。
【請求項５】
前記閾値及び前記再配置条件が任意に設定できることを特徴とする請求項２〜４のいずれか１項に記載の基地局リソース管理方式。
【請求項６】
基地局リソース管理方式において、呼処理を行う呼処理部と、リソースの管理を行うリソース管理部と、リソース使用率を算出する計算部と、閾値判定を行う閾値判定部と、リソース再配置動作のＯＮ／ＯＦＦ制御を行う再配置動作ＯＮ／ＯＦＦ制御部と、前記リソースの割り当てが行われるリソース割当部とを備え、
前記呼処理部が、負荷状況を前記閾値判定部へと報告する負荷報告ステップと；
前記リソース管理部が、リソース使用数および最大リソース数を前記計算部へと報告するリソース報告ステップと；
前記計算部が、報告された値より前記リソース使用率を算出し、その算出結果を前記閾値判定部へと報告する使用率算出ステップと；
前記閾値判定部が、前記リソース使用率の報告値及び前記負荷状況と予め設定されている閾値とを比較判定し、比較判定結果を前記再配置動作ＯＮ／ＯＦＦ制御部へと報告する判定結果報告ステップと；
前記再配置動作ＯＮ／ＯＦＦ制御部が、報告された前記比較判定結果に従い再配置動作のＯＮ／ＯＦＦ制御信号を前記呼処理部へと送る再配置動作ＯＮ／ＯＦＦ制御ステップと；
リソース再配置動作ＯＮの場合、再配置動作起動中かどうかを判定するＯＮ時再配置動作起動中判定ステップと；
このＯＮ時再配置動作起動中判定ステップで、再配置動作起動中であれば、再配置動作起動を継続する継続ステップと；
再配置動作起動中でなければ、ＯＦＦ状態保持時間が経過したかどうかを判定する時間経過判定ステップと；
この時間経過判定ステップで、前記ＯＦＦ状態保持時間が経過した場合は、再配置動作を起動する再配置動作起動ステップと；
前記ＯＦＦ状態保持時間が経過しない場合は、ＯＦＦ状態を継続する継続ステップと；
前記再配置動作起動ステップで、再配置動作起動を行い、再配置条件をクリアすると再配置処理を行う再配置処理ステップと；
一方、前記再配置動作ＯＮ／ＯＦＦ制御ステップで、リソース再配置動作ＯＦＦの場合、再配置動作起動中かどうかを判定するＯＦＦ時再配置動作起動中判定ステップと；
このＯＦＦ時再配置動作起動中判定ステップで、再配置動作起動中であれば再配置動作を中止する再配置動作中止ステップと；
再配置動作中止時に一定時間ＯＦＦ状態時を保持するＯＦＦ状態保持ステップと；
前記ＯＦＦ時再配置動作起動中判定ステップで、再配置動作起動中でなければＯＦＦ状態を継続するＯＦＦ状態継続ステップと；
を備えたことを特徴とする基地局リソース管理の方法。
【請求項７】
前記再配置動作ＯＮ／ＯＦＦ制御ステップで、
前記リソース使用率が閾値以上でありかつ前記呼処理部の負荷状況が閾値以下である場合リソース再配置動作をＯＮとし、条件を満たさなくなった場合にＯＦＦとすることを特徴とする請求項６記載の基地局リソース管理の方法。
【請求項８】
前記呼処理部が、前記再配置動作ＯＮ／ＯＦＦ制御部からの前記ＯＮ／ＯＦＦ制御信号によりＯＮ状態からＯＦＦ状態へと状態遷移した場合は、一定時間ＯＦＦ状態を保持するＯＦＦ状態保持ステップを備えたことを特徴とする請求項６記載の基地局リソース管理の方法。
【請求項９】
請求項２〜５のいずれか１項に記載の基地局リソース管理方式を、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）基地局に備えたことを特徴とする無線基地局。
【請求項１０】
請求項６〜８のいずれか１項に記載の基地局リソースの管理の方法を、Ｗ−ＣＤＭＡ基地局に備えたことを特徴とする無線基地局。
【発明の詳細な説明】
【０００１】
【発明の属する技術分野】
本発明は基地局リソース管理方式に関し、特にリソースの再配置を行う際にリソース使用率と呼処理部の負荷を検知し、それぞれに設けた閾値によりリソース再配置動作のＯＮ／ＯＦＦ制御を行い、Ｗ−ＣＤＭＡ基地局のリソース再配置動作の最適制御を行う基地局リソース管理方式に関する。
【０００２】
【従来の技術】
一般に、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）基地局において、ユーザの設定・解放によりリソース割当部にリソースが非効率的に配置されると、装置としては空きリソースがあるにもかかわらず多数のリソースを使用する高ビットレートのユーザを割り当てることができないという状況が発生し得る。この問題を解決するためにはリソースの再配置を行い、効率的なリソース配置にすれば良いが、呼量が多く呼処理部の負荷が高い場合には、再配置処理自体の負荷により呼処理部が過負荷状態となり、呼処理能力の劣化を招く危険性がある。
【０００３】
従来の基地局リソース管理方式は、Ｗ−ＣＤＭＡ方式の移動体通信システムの無線基地局において、呼処理リソースの状態監視を行い、無線基地局内に存在するリソース情報から不正リソースとして残った情報、または削除されたリソース情報を復旧させることでリソース情報の不一致を防ぎ、無線基地局装置内の呼処理リソース状態を一致させている（例えば、特許文献１参照。）。
【０００４】
また、ＣＤＭＡ方式では、複数のユーザの通信波が同じ無線周波数帯に多重化され、上り干渉量、下り送信電力、拡散符号等の無線リソースが複数のユーザに共有されるが、パケット呼が存在する移動通信において、リソース使用状況に対して呼受付閾値を適用し、新規の呼受付規制を行うとともに、その規制方法をパケットユーザ数から算出される補正値によって調整しているものもある（例えば、特許文献２参照。）。
【０００５】
【特許文献１】
特開２００３−００８５０２号公報（第２−３頁、図１）
【特許文献２】
特開２００２−２１７９５６号公報（第２−５頁、図２）
【０００６】
【発明が解決しようとする課題】
上述した従来の基地局リソース管理方式は、装置としては空きリソースがあるにもかかわらず多数のリソースを使用する高ビットレートのユーザを割り当てることができないという状況が発生し、高ビットレートユーザの呼損率が増加するという欠点を有している。
【０００７】
また、リソースの再配置を行うことで効率的なリソース配置にすれば良いが、呼量が多く呼処理部の負荷が高い場合には、再配置処理自体の負荷により呼処理部が過負荷状態となり、呼処理能力の劣化を招くという欠点を有している。
【０００８】
本発明の目的は、リソースの使用状況、呼処理部の負荷状況によって適応的にリソース再配置動作のＯＮ／ＯＦＦ制御を行い、Ｗ−ＣＤＭＡ基地局の最適なリソース配置を実現する基地局リソース管理方式を提供することにある。
【０００９】
【課題を解決するための手段】
本発明の第１の基地局リソース管理方式は、基地局リソース管理方式において、
呼処理を行う呼処理部と、リソースの管理を行うリソース管理部と、リソース使用率を算出する計算部と、閾値判定を行う閾値判定部と、リソース再配置動作のＯＮ／ＯＦＦ制御を行う再配置動作ＯＮ／ＯＦＦ制御部と、前記リソースの割り当てが行われるリソース割当部とを備え、
リソースの再配置を行う際に前記リソース使用率と前記呼処理部の負荷を検知し、それぞれに設けた閾値によりリソース再配置動作のＯＮ／ＯＦＦ制御を行い、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）基地局の最適なリソース配置が行えることを特徴としている。
【００１０】
本発明の第２の基地局リソース管理方式は、基地局リソース管理方式において、
基地局リソース管理方式において、呼処理を行う呼処理部と、リソースの管理を行うリソース管理部と、リソース使用率を算出する計算部と、閾値判定を行う閾値判定部と、リソース再配置動作のＯＮ／ＯＦＦ制御を行う再配置動作ＯＮ／ＯＦＦ制御部と、前記リソースの割り当てが行われるリソース割当部とを備え、前記呼処理部は負荷状況を前記閾値判定部へ報告し、前記再配置動作ＯＮ／ＯＦＦ制御部からのＯＮ／ＯＦＦ制御信号に従いリソース再配置動作の起動並びに中止を行い、起動中に再配置条件を満たした場合、前記リソース管理部に対してリソース再配置要求を行う再配置処理信号を出力し、
前記リソース管理部はリソース使用数及び最大リソース数を前記計算部へ報告し、リソース再配置要求の前記再配置処理信号を受け、前記リソース割当部に対して再配置処理実行信号を出力し再配置処理を行い、
前記計算部は報告された前記リソース使用数及び最大リソース数値から前記リソース使用率を算出し、閾値判定部へ報告し、
前記閾値判定部は前記リソース使用率の報告値及び前記負荷状況と予め設定されている閾値とを比較判定し、その判定結果を前記再配置動作ＯＮ／ＯＦＦ制御部へ報告し、
前記再配置動作ＯＮ／ＯＦＦ制御部は、報告された判定結果に従い再配置動作のＯＮ／ＯＦＦ制御信号を前記呼処理部へと送り、前記リソース使用率が閾値以上でありかつ前記呼処理部の前記負荷状況が閾値以下である再配置条件を満たす場合、リソース再配置動作をＯＮとし、前記再配置条件を満たさない場合にＯＦＦとすることを特徴とする基地局リソース管理方式。
【００１１】
本発明の第３の基地局リソース管理方式は、前記第２の基地局リソース管理方式において、
前記呼処理部が、前記再配置動作ＯＮ／ＯＦＦ制御部からの前記ＯＮ／ＯＦＦ制御信号によりＯＮ状態からＯＦＦ状態へと状態遷移した場合は、一定時間ＯＦＦ状態を保持することを特徴としている。
【００１２】
本発明の第４の基地局リソース管理方式は、前記第２の基地局リソース管理方式において、
前記リソース使用率が閾値以上でありかつ前記呼処理部の前記負荷状況が閾値以下である再配置条件を満たす場合にリソース再配置動作をＯＮとし、前記再配置条件を満たさない場合に一定時間ＯＦＦの状態を保持することを特徴としている。
【００１３】
本発明の第５の基地局リソース管理方式は、前記第２〜４のいずれかの基地局リソース管理方式において、
前記閾値及び前記再配置条件が任意に設定できることを特徴としている。
【００１４】
本発明の第６の基地局リソース管理方式は、基地局リソース管理方式において、
基地局リソース管理方式において、呼処理を行う呼処理部と、リソースの管理を行うリソース管理部と、リソース使用率を算出する計算部と、閾値判定を行う閾値判定部と、リソース再配置動作のＯＮ／ＯＦＦ制御を行う再配置動作ＯＮ／ＯＦＦ制御部と、前記リソースの割り当てが行われるリソース割当部とを備え、前記呼処理部が、負荷状況を前記閾値判定部へと報告する負荷報告ステップと；
前記リソース管理部が、リソース使用数および最大リソース数を前記計算部へと報告するリソース報告ステップと；
前記計算部が、報告された値より前記リソース使用率を算出し、その算出結果を前記閾値判定部へと報告する使用率算出ステップと；
前記閾値判定部が、前記リソース使用率の報告値及び前記負荷状況と予め設定されている閾値とを比較判定し、比較判定結果を前記再配置動作ＯＮ／ＯＦＦ制御部へと報告する判定結果報告ステップと；
前記再配置動作ＯＮ／ＯＦＦ制御部が、報告された前記比較判定結果に従い再配置動作のＯＮ／ＯＦＦ制御信号を前記呼処理部へと送る再配置動作ＯＮ／ＯＦＦ制御ステップと；
リソース再配置動作ＯＮの場合、再配置動作起動中かどうかを判定するＯＮ時再配置動作起動中判定ステップと；
このＯＮ時再配置動作起動中判定ステップで、再配置動作起動中であれば、再配置動作起動を継続する継続ステップと；
再配置動作起動中でなければ、ＯＦＦ状態保持時間が経過したかどうかを判定する時間経過判定ステップと；
この時間経過判定ステップで、前記ＯＦＦ状態保持時間が経過した場合は、再配置動作を起動する再配置動作起動ステップと；
前記ＯＦＦ状態保持時間が経過しない場合は、ＯＦＦ状態を継続する継続ステップと；
前記再配置動作起動ステップで、再配置動作起動を行い、再配置条件をクリアすると再配置処理を行う再配置処理ステップと；
一方、前記再配置動作ＯＮ／ＯＦＦ制御ステップで、リソース再配置動作ＯＦＦの場合、再配置動作起動中かどうかを判定するＯＦＦ時再配置動作起動中判定ステップと；
このＯＦＦ時再配置動作起動中判定ステップで、再配置動作起動中であれば再配置動作を中止する再配置動作中止ステップと；
再配置動作中止時に一定時間ＯＦＦ状態時を保持するＯＦＦ状態保持ステップと；
前記ＯＦＦ時再配置動作起動中判定ステップで、再配置動作起動中でなければＯＦＦ状態を継続するＯＦＦ状態継続ステップと；
を備えた方法を特徴としている。
【００１５】
本発明の第７の基地局リソース管理方式は、前記第６の基地局リソース管理方式において、
前記再配置動作ＯＮ／ＯＦＦ制御ステップで、
前記リソース使用率が閾値以上でありかつ前記呼処理部の負荷状況が閾値以下である場合リソース再配置動作をＯＮとし、条件を満たさなくなった場合にＯＦＦとする方法を特徴としている。
【００１６】
本発明の第８の基地局リソース管理方式は、前記第６の基地局リソース管理方式において、
前記呼処理部が、前記再配置動作ＯＮ／ＯＦＦ制御部からの前記ＯＮ／ＯＦＦ制御信号によりＯＮ状態からＯＦＦ状態へと状態遷移した場合は、一定時間ＯＦＦ状態を保持するＯＦＦ状態保持ステップを備えた方法を特徴としている。
【００１７】
本発明の第９の基地局リソース管理方式は、前記第２〜第５のいずれかの基地局リソース管理方式において、
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）基地局に備えた無線基地局を特徴としている。
【００１８】
本発明の第１０の基地局リソース管理方式は、前記第６〜８のいずれかの基地局リソース管理方式において、
基地局リソースの管理の方法を、Ｗ−ＣＤＭＡ基地局に備えた無線基地局を特徴としている。
【００１９】
【発明の実施の形態】
次に、本発明の実施の形態について図面を参照して説明する。
【００２０】
図１は本発明の基地局リソース管理方式の一つの実施の形態を示すブロック図である。
【００２１】
図１に示す本実施の形態は、呼処理を行う呼処理部１と、リソースの管理を行うリソース管理部２と、リソース使用率を算出する計算部３と、閾値判定を行う閾値判定部４と、再配置動作のＯＮ／ＯＦＦ制御を行う再配置動作ＯＮ／ＯＦＦ制御部５と、リソースの割り当てが行われるリソース割当部６とから構成されている。
【００２２】
次に図１を参照して動作を説明する。
【００２３】
呼処理部１は負荷状況１０を閾値判定部４へ報告する。また、リソース管理部２はリソース使用数および最大リソース数１１を計算部３へ報告し、計算部３は報告された値からリソース使用率を算出し、その結果のリソース使用率１２を閾値判定部４へ報告する。
【００２４】
閾値判定部４はリソース使用率１２の報告値および負荷状況１０と予め設定されている閾値とを比較し、その判定結果１３を再配置動作ＯＮ／ＯＦＦ制御部５へ報告する。再配置動作ＯＮ／ＯＦＦ制御部５は、報告された判定結果１３に従い再配置動作のＯＮ／ＯＦＦ制御信号１４を呼処理部１へと送る。ここでリソース使用率１２が閾値以上でありかつ呼処理部１の負荷状況１０が閾値以下である場合、リソース再配置動作をＯＮとし、上記条件を満たさなくなった場合にＯＦＦとする。
【００２５】
呼処理部１は、再配置動作ＯＮ／ＯＦＦ制御部５からのＯＮ／ＯＦＦ制御信号１４に従いリソース再配置動作の起動、中止を行い、起動中に再配置条件を満たした場合、リソース管理部２に対してリソース再配置要求を行う再配置処理信号１５を出力する。リソース管理部２はリソース再配置要求の再配置処理信号１５を受け、リソース割当部６に対して再配置処理実行信号１６を出力し再配置処理を行うことになる。
【００２６】
なお、各閾値、再配置条件はユーザが任意に設定できる。
【００２７】
また、呼処理部１が再配置動作ＯＮ／ＯＦＦ制御部５からのＯＮ／ＯＦＦ制御信号１４によりＯＮ状態からＯＦＦ状態へと状態遷移した場合は、一定時間ＯＦＦ状態を保持する。
【００２８】
これは、呼処理部１の負荷が閾値を超えたためにＯＦＦ状態になったにもかかわらず、再配置処理分の負荷軽減により呼処理部１の負荷が閾値を下回り、再びＯＮ状態へと遷移してしまうという無駄なＯＮ／ＯＦＦ制御サイクルを避けるためである。
【００２９】
上述の通り、リソースの再配置を行う際にリソース使用率１２と呼処理部１の負荷を負荷状況１０により検知し、それぞれに設けた閾値によりリソース再配置動作のＯＮ／ＯＦＦ制御を行うことで、Ｗ−ＣＤＭＡ基地局の最適なリソース配置を行う。具体的にはリソース使用率１２が閾値以下である場合にはリソースに余裕があるため再配置を行う必要がなく、また呼処理部１の負荷状況１０が閾値以上である場合には再配置処理自体の負荷により呼処理部１が過負荷状態となり、呼処理能力が劣化する。
【００３０】
このため、リソース使用率１２が閾値以上であり、かつ呼処理部１の負荷状況１０が閾値以下である場合にのみリソース再配置動作をＯＮとし、上記条件を満たさなくなった場合にＯＦＦとする。但し、ＯＦＦとなった場合、一定時間ＯＦＦの状態を保持する。
【００３１】
なお、リソース使用率１２の値は次式で算出される。
【００３２】
【数１】（リソース使用率）  ＝  （現在のリソース使用数）／（最大リソース数）
図２は図１の基地局リソース管理方式の動作を示すフローチャートである。
【００３３】
図１を参照しながら図２を説明すると、呼処理部１は負荷状況１０を閾値判定部４へと報告する（ステップ１：Ｓ１）。また、リソース管理部２はリソース使用数および最大リソース数１１を計算部３へと報告し（ステップ２：Ｓ２）、計算部３は報告された値よりリソース使用率１２を算出し、その算出結果を閾値判定部４へと報告する（ステップ３：Ｓ３）。
【００３４】
閾値判定部４はリソース使用率１２の報告値および負荷状況１０の報告値と予め設定されている閾値とを比較判定し、その判定結果１３を再配置動作ＯＮ／ＯＦＦ制御部５へと報告する（ステップ４：Ｓ４）。再配置動作ＯＮ／ＯＦＦ制御部５は報告された判定結果１３に従い再配置動作のＯＮ／ＯＦＦ制御信号１４を呼処理部１へと送る。ここでリソース使用率１２が閾値以上であり、かつ呼処理部１の負荷状況１０が閾値以下である場合リソース再配置動作をＯＮ、本条件を満たさなくなった場合にＯＦＦとする（ステップ５：Ｓ５）。
【００３５】
次にリソース再配置動作ＯＮの場合、再配置動作起動中かどうかを判定する（ステップ６：Ｓ６）。このステップ６で再配置動作起動中であれば、再配置動作起動を継続し（ステップ７：Ｓ７）、再配置動作起動中でなければ、ＯＦＦ状態保持時間が経過したかどうかを判定する（ステップ８：Ｓ８）。
【００３６】
このステップ８で、ＯＦＦ状態保持時間が経過した場合は、再配置動作を起動し（ステップ９：Ｓ９）、ＯＦＦ状態保持時間が経過しない場合は、ＯＦＦ状態を継続する（ステップ１０：Ｓ１０）。ステップ９で再配置動作起動し、再配置条件をクリアすると再配置処理を行うことになる（ステップ１１：Ｓ１１）。
【００３７】
一方ステップ５で、リソース再配置動作ＯＦＦの場合、再配置動作起動中かどうかを判定する（ステップ１２：Ｓ１２）。ステップ１２で再配置動作起動中であれば再配置動作を中止し（ステップ１３：Ｓ１３）、一定時間ＯＦＦ状態時を保持することになる（ステップ１５：Ｓ１５）。ステップ１２で再配置動作起動中でなければＯＦＦ状態を継続する（ステップ１４：Ｓ１４）。
【００３８】
上述のように、呼処理部１は再配置動作ＯＮ／ＯＦＦ制御部５からのＯＮ／ＯＦＦ制御信号１４に従い、リソース再配置動作の起動または中止を行う（ステップ９、ステップ１３）。起動中に再配置条件を満たした場合、リソース管理部２に対してリソース再配置要求を行う再配置処理信号１５を出力し、リソース管理部２は再配置要求の再配置処理信号１５を受け、リソース割当部６に対して再配置処理実行信号１６を出力し再配置処理を行うことになる（ステップ１１）。
【００３９】
なお、各閾値、再配置条件はユーザ設定とする。
【００４０】
また、呼処理部１が再配置動作ＯＮ／ＯＦＦ制御部５からのＯＮ／ＯＦＦ制御信号１４によりＯＮ状態からＯＦＦ状態へと状態遷移した場合は、一定時間ＯＦＦ状態を保持する（ステップ１５）。
【００４１】
これは、呼処理部１の負荷が閾値を超えたためにＯＦＦ状態になったにもかかわらず、再配置処理分だけの負荷軽減により呼処理部１の負荷が閾値を下回り、再びＯＮ状態へと遷移してしまうという無駄なＯＮ／ＯＦＦ制御サイクルを避けるためである。なお、上述のリソース管理方式や管理方法をＷ−ＣＤＭＡ基地局に適用することができる。
【００４２】
【発明の効果】
以上説明したように、本発明の基地局リソース管理方式は、リソースの再配置を行うことにより、多数のリソースを使用する高ビットレートのユーザを割り当てることが可能な空きリソースを確保できるので、高ビットレート・ユーザの呼損率が低減できるという効果を有している。
【００４３】
また、負荷が低い（呼処理能力的に余裕のある）場合にのみ再配置動作をＯＮとし、負荷が高い（呼処理能力的に余裕が無い）場合には再配置動作をＯＦＦとするので、再配置処理による呼処理能力の劣化を最小限にできるという効果を有している。
【図面の簡単な説明】
【図１】本発明の基地局リソース管理方式の一つの実施の形態を示すブロック図である。
【図２】図１の基地局リソース管理方式の動作を示すフローチャートである。
【符号の説明】
１    呼処理部
２    リソース管理部
３    計算部
４    閾値判定部
５    再配置動作ＯＮ／ＯＦＦ制御部
６    リソース割当部
１０    負荷状況
１１    リソース使用数および最大リソース数
１２    リソース使用率
１３    判定結果
１４    ＯＮ／ＯＦＦ制御信号
１５    再配置処理信号
１６    再配置処理実行信号
【図１】
2004343593.tif 000003
【図２】
2004343593.tif 000004